(57)【要約】フィルタリングされる電力コネクタは、少なくとも1つの通路（28）を有するハウジングと、少なくとも1つの導体（24）と、少なくとも1つのフィルタ（26）とを含む。導体（24）は、少なくとも部分的にハウジング（12）の通路内に延び、40Aを超える電流に対処することができる。フィルタ（26）は、1つの端部が導体に結合され、別の端部が接地面（46）に結合されており、約0kHzから約40Ghzの間の、任意の信号の実質的な部分を排除する。
2005529472.tif 000002
【特許請求の範囲】
【請求項１】
以下を含む、電力接続システム：
少なくとも1つの通路を有するハウジング；
少なくとも部分的にハウジングの通路内に延び、40Aを超える電流に対処することのできる少なくとも1つの導体；および
約0kHzから約40Ghzの間の、導体上の任意の信号の実質的な部分を排除し、1つの端部が導体に結合され、別の端部がグランドに結合されている少なくとも1つのフィルタ。
【請求項２】
導体が、導体の各端部に雄コネクタ、導体の1つの端部に雄コネクタおよび導体の別の端部に雌コネクタ、導体の1つの端部に雌コネクタおよび導体の別の端部に雄コネクタ、ならびに、導体の各端部に雌コネクタのうちの1つを有する、請求項1記載のシステム。
【請求項３】
導体が、導体の少なくとも1つの端部に雄雌同体コネクタを有する、請求項1記載のシステム。
【請求項４】
フィルタの他方の端部が、ハウジングに結合している、請求項1記載のシステム。
【請求項５】
ハウジング内の通路の一方の端部に連結されたカバーをさらに有し、カバーが、フィルタの他方の端部とハウジングとの間に結合されている、請求項4記載のシステム。
【請求項６】
導体が、フィルタの一方の端部に結合されたフランジを有する、請求項1記載のシステム。
【請求項７】
フィルタが、コンデンサである、請求項1記載のシステム。
【請求項８】
導体とフィルタとの間に絶縁層をさらに含み、フィルタが、少なくとも部分的に導体の周りを延び、フィルタの各端部に導電面を有する、請求項1記載のシステム。
【請求項９】
以下をさらに含む、請求項1記載のシステム：
導体の1つの端部に結合され、ケーブル・グランドを有するケーブル；および
ケーブル・グランドをグランドに結合して共通グランドを形成する接地要素。
【請求項１０】
ハウジング内にセンサをさらに含み、センサが、導体の少なくとも1つの特性を監視し出力して導体の動作を管理する、請求項1記載のシステム。
【請求項１１】
センサが、非接触センサである、請求項10記載のシステム。
【請求項１２】
ハウジングが、別の通路を有し、システムが、
少なくとも部分的にハウジングの別の通路内に延び、40Aを超える電流に対処することのできる別の導体、および
0kHzから40Ghzの間の、別の導体上の任意の信号の実質的な部分を排除し、1つの端部が別の導体に結合され、別の端部がグランドに結合されている別のフィルタをさらに含む、請求項1記載のシステム。
【請求項１３】
別の導体が、別の導体の各端部に雄コネクタ、別の導体の1つの端部に雄コネクタおよび別の導体の別の端部に雌コネクタ、別の導体の1つの端部に雌コネクタおよび別の導体の別の端部に雄コネクタ、ならびに、別の導体の各端部に雌コネクタのうちの1つを有する、請求項12記載のシステム。
【請求項１４】
別の導体が、別の導体の少なくとも1つの端部に雄雌同体コネクタを有する、請求項12記載のシステム。
【請求項１５】
フィルタの他方の端部が、ハウジングに結合されている、請求項12記載のシステム。
【請求項１６】
別のフィルタの他方の端部とハウジングとの間に結合されたカバーをさらに含む、請求項12記載のシステム。
【請求項１７】
別の導体が、別のフィルタの1つの端部に結合されたフランジを有する、請求項12記載のシステム。
【請求項１８】
別のフィルタが、コンデンサである、請求項12記載のシステム。
【請求項１９】
別の導体と別のフィルタとの間に絶縁層をさらに含み、別のフィルタが、少なくとも部分的に別の導体の周りを延び、別のフィルタの各端部に導電面を有する、請求項12記載のシステム。
【請求項２０】
以下をさらに含む、請求項12記載のシステム：
別の導体の1つの端部に結合され、別のケーブル・グランドを有する別のケーブル；および
別のケーブル・グランドをグランドに結合して共通グランドを形成する接地要素。
【請求項２１】
以下の段階を含む方法であって、電力接続システムを製造する方法：
少なくとも1つの通路を有するハウジングを設ける段階；
40Aを超える電流に対処することのできる少なくとも1つの導体を少なくとも部分的にハウジングの通路内に延ばす段階、および
約0kHzから約40Ghzの間の、導体上の任意の信号の実質的な部分を排除する少なくとも1つのフィルタの1つの端部を導体に結合し、フィルタの別の端部をグランドに結合する段階。
【請求項２２】
導体が、導体の各端部に雄コネクタ、導体の1つの端部に雄コネクタおよび導体の別の端部に雌コネクタ、導体の1つの端部に雌コネクタおよび導体の別の端部に雄コネクタ、ならびに、導体の各端部に雌コネクタのうちの1つを有する、請求項21記載の方法。
【請求項２３】
導体が、導体の少なくとも1つの端部に雄雌同体コネクタを有する、請求項21記載の方法。
【請求項２４】
フィルタの他方の端部が、ハウジングに結合されている、請求項21記載の方法。
【請求項２５】
フィルタの他方の端部をカバーによってハウジングに結合する段階をさらに含む、請求項24記載の方法。
【請求項２６】
導体上のフランジをフィルタの一方の端部に結合する段階をさらに含む、請求項21記載の方法。
【請求項２７】
フィルタが、コンデンサである、請求項21記載の方法。
【請求項２８】
導体と、少なくとも部分的に導体の周りを延び、フィルタの各端部に導電面を有するフィルタとの間に絶縁層を配置する段階をさらに含む、請求項21記載の方法。
【請求項２９】
以下の段階をさらに含む、請求項21記載の方法：
ケーブル・グランドを有するケーブルを導体の1つの端部に結合する段階；および
ケーブル・グランドとグランドとの間に接地要素を結合して共通グランドを形成する段階。
【請求項３０】
センサによって、導体の少なくとも1つの特性を監視し出力して導体の動作を管理する段階をさらに含む、請求項21記載の方法。
【請求項３１】
センサが、非接触センサである、請求項30記載の方法。
【請求項３２】
ハウジングが、別の通路を有し、方法が、
40Aを超える電流に対処することのできる別の導体を少なくとも部分的にハウジングの別の通路内に延ばす段階、および
0kHzから40Ghzの間の、別の導体上の任意の信号の実質的な部分を排除する別のフィルタの1つの端部を別の導体に結合し、別のフィルタの別の端部をグランド面に結合する段階をさらに含む、請求項21記載の方法。
【請求項３３】
別の導体が、別の導体の各端部に雄コネクタ、別の導体の1つの端部に雄コネクタおよび別の導体の別の端部に雌コネクタ、別の導体の1つの端部に雌コネクタおよび別の導体の別の端部に雄コネクタ、ならびに、別の導体の各端部に雌コネクタのうちの1つを有する、請求項32記載の方法。
【請求項３４】
別の導体が、別の導体の少なくとも1つの端部に雄雌同体コネクタを有する、請求項32記載の方法。
【請求項３５】
別のフィルタの他方の端部が、ハウジングに結合されている、請求項32記載の方法。
【請求項３６】
別のフィルタの他方の端部をカバーによってハウジングに結合する段階をさらに含む、請求項32記載の方法。
【請求項３７】
別の導体上のフランジを別のフィルタの1つの端部に結合する段階をさらに含む、請求項32記載の方法。
【請求項３８】
別のフィルタが、コンデンサである、請求項32記載の方法。
【請求項３９】
別の導体と、少なくとも部分的に別の導体の周りを延び、別のフィルタの各端部に導電面を有する別のフィルタとの間に別の絶縁層を配置する段階をさらに含む、請求項32記載の方法。
【請求項４０】
以下の段階をさらに含む、請求項32記載の方法：
別のケーブル・グランドを有する別のケーブルを別の導体の1つの端部に結合する段階；および
別のケーブル・グランドとグランドの間に接地要素を結合して共通グランドを形成する段階。
【発明の詳細な説明】
【技術分野】
【０００１】
本出願は、参照として全体的に本明細書に組み入れられる2002年6月6日に出願された米国仮特許出願第60/386,900号、2002年8月26日に出願された米国仮特許出願第60/406,086号、および2002年11月20日に出願された米国仮特許出願第60/427,843号の利益を主張する。
【０００２】
発明の分野
本発明は、概してコネクタに関し、特に放射EMI/RFI雑音の出入りをフィルタリングし遮蔽することのできる小形の電力コネクタに関する。
【背景技術】
【０００３】
発明の背景
世界のある地域では、高品質の電力は標準とされていない。さらに、世界の他の地域では、高品質の電力の供給が中断されることがある。電力の品質が低下すると、電力の変動、およびEMI雑音やRFI雑音などの雑音の量が増大することが多い。
【０００４】
このように電力の品質が低下すると、問題が起こることがある。たとえば、この電力は、この電力を受けているシステムの適切な性能に干渉する可能性がある。さらに、このように電力の品質が低下すると、それに結合されたあらゆるシステムが損害を受ける恐れがある。
【発明の開示】
【０００５】
本発明の態様によるフィルタリングされる電力コネクタは、少なくとも1つの通路を有するハウジングと、少なくとも1つの導体と、少なくとも1つのフィルタとを含む。導体は、少なくとも部分的にハウジングの通路内に延びており、40Aを超える電流に対処することができる。フィルタは、1つの端部が導体に結合され、別の端部が接地面に結合されており、約0kHzから約40Ghzの間の、導体上の任意の信号の実質的な部分を排除する。
【０００６】
本発明の態様による電源接続システムを製造する方法は、少なくとも1つの通路を有するハウジングを設ける段階を含む。40Aを超える電流に対処することのできる少なくとも1つの導体が、少なくとも部分的にハウジング内の通路内に延びている。約0kHzから約40Ghzの間の、任意の信号の実質的な部分を排除する少なくとも1つのフィルタが、その1つの端部の所で導体に結合され、別の端部の所で接地面に結合されている。
【０００７】
本発明は、供給される電力の品質を簡単にかつ容易に向上させることのできるシステムおよび方法を提供する。本発明は、電力をフィルタリングし、導体上の約0kHzから約40Ghzの間の任意の信号の全部ではないにしても実質的な部分を除去することができる。
【０００８】
さらに、本発明は、電力の供給を監視し管理するシステムおよび方法を提供する。たとえば、本発明は、供給中の電力の品質を監視し報告し、電力の供給を監視し調整して、電力要件が確実に満たされるようにするのに用いることができ、電力のレベルが高すぎるかまたは低すぎる場合に安全遮断機として働くことができる。
【０００９】
詳細な説明
本発明の態様によるフィルタリングされる電力コネクタ10(1)〜10(6)が図1〜17に示されている。フィルタリングされる電力コネクタ10(1)〜10(6)は、ハウジング12(1)、12(2)、12(3)、12(4)、または19と、スピンドルまたは他の導体14(1)〜14(2)、16(1)〜16(2)、18(1)〜18(2)、20(1)〜20(2)、22(1)〜22(2)、または24(1)〜24(2)と、フィルタ26(1)〜26(2)とを含んでいる。ただし、システム10(1)〜10(6)はそれぞれ、他の構成要素、他の数の各構成要素、および構成要素の他の組合せを含んでよい。本発明は、供給中の電力の品質を簡単にかつ容易に向上させることができ、電力の供給を監視し管理することもできるシステムおよび方法を提供する。
【００１０】
図1〜6を参照すると、フィルタリングされる電力コネクタ10(1)用のハウジング12(1)は、一対の通路28(1)〜28(2)とチャンバ30とを含んでいる。ただし、ハウジング12(1)は、他の数の通路およびチャンバを有する他の構成を有してよい。各通路28(1)〜28(2)は、ハウジング12(1)に形成され、1つのスピンドル14(1)〜14(2)および1つのフィルタ26(1)〜26(2)を受け入れる。ただし、通路28(1)〜28(2)は、他の構成要素を受け入れる他の構成を有してよい。チャンバ30は、ハウジング12(1)内の通路28(1)〜28(2)同士の間に形成され、フィルタリングされる電力コネクタ10(1)を監視し管理するのに用いられるセンサ32を受け入れる。ただし、ハウジング12(1)内のチャンバ30について他の数および位置を使用してよい。ハウジング12(1)は熱可塑性プラスチックで作られており、EMI放射RFI雑音を遮蔽するように働く金属化された仕上げを両側に有している。ただし、ハウジング12(1)は他の材料で作ることができる。ハウジング12(1)は、接地面および遮蔽カバーとして働く。ただし、任意の種類の接地技術を使用してよい。
【００１１】
センサ32は非接触電流センサである。ただし、プログラムされたマイクロプロセッサ、コントローラ、論理IC、様々な電気センサ、熱センサ、またはIRセンサのような他の種類の回路をセンサ32に用いることができる。センサ32は、センサ32からの読取り値を監視し、電源36に結合され、かつセンサ32からの読取り値に応答して電源36の動作を制御する監視システム34に結合されている。たとえば、監視システム36は、出力中の電力を調整することも、センサ32からの読取り値に応答して電力を遮断することもできる。監視システム34は、1つまたは複数のバスによって互いに結合されたプロセッサとメモリとを含んでいる。ただし、監視システム34は、他の方法で互いに結合された他の構成要素、他の数の各構成要素、および構成要素の他の組合せを有してよい。監視システム34では、メモリは、プロセッサによって実行される、本明細書で説明する電力の供給の監視および管理に関する記憶されプログラムされた命令を有している。ただし、これらの命令およびデータのいくつかまたはすべてを他の場所に記憶してよい。プロセッサに結合された磁気、光学、または他の読取りおよび／または書込みシステムによって読み取られかつ／または書き込まれるランダム・アクセス・メモリ（RAM）、読取り専用メモリ（ROM）、フロッピー・ディスク、ハード・ディスク、CD ROM、その他のコンピュータ読取り可能媒体のような、様々な異なる種類のメモリ記憶装置を使用してよい。様々な異なる種類の有線および無線通信システムおよびプロトコルを、センサ32と監視システム34と電源36と他の構成要素との間の通信に用いることができる。
【００１２】
スピンドル14(1)〜14(2)は、フィルタリングされる電力コネクタ10(1)を通じて電力を伝える。ただし、他の種類の導体を用いて電力を伝えることができる。この特定の態様では、各スピンドル14(1)〜14(2)はDCまたはAC約40AからDCまたはAC約1000Aの電流に対処することができる。ただし、スピンドル14(1)〜14(2)は、電源用に供給される他の量の電流に対処することができる。各スピンドル14(1)〜14(2)は、部分的にハウジング12(1)の一方の通路28(1)〜28(2)内に延び、この通路内に位置している。ただし、ハウジング12(1)内のスピンドル14(1)〜14(2)については他の数および構成を使用してよい。
【００１３】
各スピンドル14(1)〜14(2)はフランジ42(1)または42(2)を含んでいる。ただし、フランジ42(1)〜42(2)については他の種類および構成を使用してよく、スピンドル14(1)〜14(2)は他の形状を有してよい。フランジ42(1)は、スピンドル14（1）の上に形成され、スピンドル14（1）の端の間に位置し、フランジ42(2)は、スピンドル14（2）の上に形成され、スピンドル14（2）の端の間に位置する。
【００１４】
各スピンドル14(1)〜14(2)の一方の端部は、雄コネクタを形成するように円筒形状を有しており、各スピンドル14(1)〜14(2)の他方の端部は、雄雌同体（genderless）コネクタまたは接点を形成するようにリッジ38を持つ平坦な形状を有している。ただし、スピンドル14(1)〜14(2)の端部は他の形状および構成を有してよく、スピンドル14(1)〜14(2)の各端部に結合される他の機構を使用してよい。単なる一例として、図7〜11に示されているフィルタリングされる電力コネクタ10(2)では、ハウジング12(2)内の各スピンドル16(1)〜16(2)は、各端部に雄コネクタを形成するように各端部の所に円筒形状を有しており、図16〜17に示されているフィルタリングされる電力コネクタ10(6)では、ハウジング12(4)内の各スピンドル24(1)〜24(2)は、各端部に雄コネクタを形成するように各端部の所に円筒形状を有している。図12に示されているフィルタリングされる電力コネクタ10(3)では、ハウジング12(3)内の各スピンドル18(1)〜18(2)は、一方の端部の所に、雌コネクタを形成するようにソケット形状を有し、他方の端部の所に、電源に結合された雄コネクタを形成するように円筒形状を有している。図13に示されているフィルタリングされる電力コネクタ10(4)では、ハウジング12(3)内の各スピンドル20(1)〜20(2)は、一方の端部の所に、雄コネクタを形成するように円筒形状を有し、電源に結合された他方の端部の所に、雄コネクタを形成するようにソケット形状を有している。図14に示されているフィルタリングされる電力コネクタ10(5)では、ハウジング12(3)内の各スピンドル22(1)〜22(2)は、各端部に雌コネクタを形成するようにソケット形状を有している。
【００１５】
再び図1〜6を参照すると、フィルタ26(1)および26(2)は、スピンドル14(1)〜14(2)上の電力をフィルタリングして雑音のない高品質の出力電力を生成するのに用いられる。この特定の態様では、フィルタ26(1)〜26(2)は、スピンドル14(1)〜14(2)上の0kHzから40Ghzの間の任意の信号の実質的な部分を排除する。ただし、電力をフィルタリングする他の範囲における他の種類のフィルタを使用してよい。
【００１６】
各フィルタ26(1)〜26(2)は、一対の導電領域46の間に実質的に管状の中央誘電領域48を有するコンデンサである。ただし、フィルタ26(1)〜26(2)は他の形状および構成を有してよく、かつ他の種類のフィルタを使用してよい。この特定の態様では、フィルタ26(1)は、スピンドル14(1)の一部上およびその周りに位置し、フィルタ26(2)は、スピンドル14(2)の一部上およびその周りに位置している。ただし、フィルタ26(1)〜26(2)およびスピンドル14(1)〜14(2)については他の配置を使用してよい。フィルタ26(1)用の一方の導電領域46は、フランジ42(1)に接触して位置しており、フィルタ26(2)用の一方の導電領域46は、フランジ42(2)に接触して位置している。絶縁層44(1)が、フィルタ26(1)とスピンドル14(1)との間に位置し、フィルタ26(1)をスピンドル14(1)から分離しており、絶縁層44(2)が、フィルタ26(1)とスピンドル14(1)との間に位置し、フィルタ26(1)をスピンドル14(1)から分離している。ただし、スピンドル14(1)〜14(2)からのフィルタ26(1)〜26(2)の絶縁については他の方法を使用してよい。スピンドル14(1)〜14(2)の周りの各フィルタ26(1)〜26(2)は、ハウジング12(1)内の1つの通路28(1)〜28(2)内にも位置している。
【００１７】
絶縁カバー50が、ハウジング12(1)の一方の端部内に嵌まり込み、ハウジング12(1)の金属化された本体からフィルタ26(1)および26(2)を絶縁する働きをしている。絶縁カバー50は、スピンドル14(1)および14(2)の各々の一方の端部が通って延びることのできる一対の開口部52を形成する。
【００１８】
導電カバー52が、ハウジング12(1)の、通路28(1)〜28(2)の一方の端部の所の開口部上に固定されている。ただし、カバー52については他の配置を使用してよい。カバー52は、フィルタ26(1)の他方の導電領域およびフィルタ26(2)の他方の導電領域に接触しかつ結合されると共に、ハウジング12(1)に接触しかつ結合されており、フィルタ26(1)〜26(2)の他方の導電領域46からの接地経路を形成している。ただし、他の接地技術を使用してよい。
【００１９】
通路56(1)〜56(2)を有する端部キャップ54が導電カバー52の一方の端部に固定されており、スピンドル14(1)〜14(2)の一方の端部が通路56(1)〜56(2)から延びている。ただし、各構成要素を収納する他の構成を使用してよい。
【００２０】
バス・バー58(1)〜58(2)が電源36とスピンドル14(1)〜14(2)の一方の端部との間に結合されている。ただし、他の数のバス・バーおよび電源36をスピンドル14(1)〜14(2)に結合する他の方法を使用してよい。各バス・バー58(1)〜58(2)は、電力用途向けの電流を伝えることができる。この特定の態様では、各バス・バー58(1)〜58(2)は約40Aから約1000Aまで伝えることができる。ただし、バス・バー58(1)〜58(2)は他の量の電流を伝えることができる。図示を容易にするために、各バス・バー58(1)〜58(2)の一部のみが示されている。
【００２１】
他の種類のコネクタ58(1)〜58(2)だけれども、ソケット・コネクタ60(1)がバス・バー58(1)に固定されており、ソケット・コネクタ60(2)がバス・バー58(2)に固定されている。スピンドル14(1)〜14(2)の一方の端部は、ソケット・コネクタ60(1)〜60(2)と噛み合い、バス・バー58(1)〜58(2)上の電力をスピンドル14(1)〜14(2)に結合する。ただし、スピンドル14(1)〜14(2)をバス・バー58(1)〜58(2)に接続する他の技術を使用してよく、たとえば、スピンドル14(1)〜14(2)の一方の端部の所のコネクタが雌コネクタである場合、雄コネクタを用いてスピンドル14(1)〜14(2)の一方の端部に結合することができる。
【００２２】
シャシ62は接地面として働く。ただし、他の種類の構造および他の接地技術を使用してよい。シャシ62は、ハウジング12(1)の一部が嵌まり込む開口部64を有し、ハウジング12(1)のフランジがシャシ62に固定され結合されている。
【００２３】
図7〜11を参照すると、本発明によるフィルタリングされる電力コネクタ10(2)が示されている。フィルタリングされる電力コネクタ10(2)は、ここに記載され図示されることを除いて、フィルタリングされる電力コネクタ10(1)と同一である。フィルタリングされる電力コネクタ10(1)と同様なフィルタリングされる電力コネクタ10(2)内の各要素は同じ参照符号を有しており、これらについて詳しくは説明しない。前述のように、ハウジング12(2)内の各スピンドル16(1)〜16(2)は、各端部に雄コネクタを形成するように各端部の所に円筒形状を有している。ただし、他の形状を有する、他の種類および数の導体をスピンドル16(1)〜16(2)に使用してよく、ハウジング12(2)は、スピンドル16(1)〜16(2)を受け入れるような形状を有している。さらに、導電座金66(1)〜66(2)はそれぞれ、1つのフィルタ26(1)〜26(2)上に位置しており、各フィルタ26(1)〜26(2)の一方の端部の所の導電領域46をハウジング12(2)の金属化された本体に結合している。絶縁されたハウジング53は、スピンドル16(1)〜16(2)およびフィルタ26(1)〜26(2)用の通路を有するように形成されており、絶縁されたハウジング53は、図10に示されているように導電パネル・ハウジング55内に位置している。導電パネル・ハウジング53は、導電座金66(1)〜66(2)およびフィルタ26(1)〜26(2)の他方の導電領域46に係合しかつ結合された導電管状突起57(1)〜57(2)を含んでいる。
【００２４】
図12〜14を参照すると、本発明の他の態様によるフィルタリングされる電力コネクタ10(3)〜10(5)が示されている。フィルタリングされる電力コネクタ10(3)〜10(5)は、ここでの記述および図示を除いて、フィルタリングされる電力コネクタ10(1)と同一である。フィルタリングされる電力コネクタ10(1)と同様なフィルタリングされる電力コネクタ10(3)〜10(5)内の各要素は同じ参照符号を有しており、これらについて詳しくは説明しない。図12に示されているフィルタリングされる電力コネクタ10(3)では、ハウジング12(3)内の各スピンドル18(1)〜18(2)は、一方の端部の所に、雌コネクタを形成するようにソケット形状を有し、電源に結合された他方の端部の所に、雄コネクタを形成するように円筒形状を有している。ただし、スピンドル18(1)〜18(2)については、他の形状を有する、他の種類および数の導体を使用してよい。ハウジング12(3)もスピンドル18(1)〜18(2)を受け入れるような形状を有している。図13に示されているフィルタリングされる電力コネクタ10(4)では、ハウジング12(3)内の各スピンドル20(1)〜20(2)は、一方の端部の所に、雄コネクタを形成するように円筒形状を有し、電源に結合された他方の端部の所に、雄コネクタを形成するようにソケット形状を有している。ただし、スピンドル20(1)〜20(2)については、他の形状を有する、他の種類および数の導体を使用してよい。ハウジング12(4)もスピンドル20(1)〜20(2)を受け入れるような形状を有している。図14に示されているフィルタリングされる電力コネクタ10(5)では、ハウジング12(3)内の各スピンドル22(1)〜22(2)は、各端部に雌コネクタを形成するようにソケット形状を有している。ただし、スピンドル22(1)〜22(2)については、他の形状を有する、他の種類および数の導体を使用してよい。ハウジング12(4)もスピンドル22(1)〜22(2)を受け入れるような形状を有している。
【００２５】
図15A〜15Bを参照すると、電力ケーブル70(1)〜70(2)に結合されるフィルタリングされる電力コネクタ10(2)が示されている。電力ケーブル70(1)〜70(2)は、電源（図示せず）に結合され、それぞれ、ケーブル・グランド72として働く金属編組を含んでいる。導電カン・ハウジングが、各電力ケーブル70(1)〜70(2)のケーブル・グランドに結合され、かつシャシ62に結合されている。各電力ケーブル70(1)〜70(2)のケーブル・グランド72をシャシ62に結合すると、やはりシャシ62に結合されたフィルタ26(1)〜26(2)の他方の導電領域46との共通グランドが形成される。ただし、共通グランドを形成する他の方法をこの電力コネクタ10(2)および他の電力コネクタと一緒に使用してよい。
【００２６】
図16および17を参照すると、本発明の他の態様によるフィルタリングされる電力コネクタ10(6)が示されている。フィルタリングされる電力コネクタ10(6)は、ここに記載され図示されることを除いて、図7〜11に示されているフィルタリングされる電力コネクタ10(2)と同一である。フィルタリングされる電力コネクタ10(2)と同様なフィルタリングされる電力コネクタ10(6)内の各要素は同じ参照符号を有しており、これらについて詳しくは説明しない。フィルタ電力コネクタ10(6)は、各端部に雄コネクタを有するスピンドル24(1)〜24(2)を含んでいる。ただし、スピンドル24(1)〜24(2)の端部は、雌コネクタや雄雌同体コネクタのような他の種類のコネクタを有するように構成してよい。
【００２７】
フィルタリングされる電力コネクタ10(6)もフィルタ26(1)〜26(2)を含んでいる。フィルタ26(1)はスピンドル24(1)上に位置し、フィルタ26(1)の一方の導電領域46は、スピンドル24(1)の導電座金43(1)に接触して位置しかつ結合されている。フィルタ26(2)はスピンドル24(2)上に位置し、フィルタ26(2)の一方の導電領域46は、スピンドル24(2)の導電座金43(2)に接触して位置しかつ結合されている。パネル取付けハウジング94に結合されたフィルタ26(1)〜26(2)の導電領域46は、絶縁層101(1)〜101(2)によってスピンドル24(1)〜24(2)から絶縁されている。導電座金43(1)はフランジ96(1)に接触して位置し、導電座金43(2)はフランジ96(2)に接触して位置している。
【００２８】
フィルタリングされる電力コネクタ10(6)は、パネル取付けハウジング94とカバー98との間に位置するEMI遮蔽プレート88およびEMI密封ガスケット90も含んでいる。EMI遮蔽プレート88およびEMI密封ガスケット90は、フィルタ電力コネクタ10(6)からEMIを遮蔽するのを助け、フィルタ26(1)〜26(2)の導電領域46を、シャシ62に結合された導電パネル取付けハウジング94に結合している。フィルタ26(1)〜26(2)およびスピンドル24(1)〜24(2)の一方の端部は、EMI遮蔽プレート88およびEMI密封ガスケット90の開口部を通って、ハウジング12(4)のパネル取付け部94の通路28(1)および28(2)の一部内に延びている。ただし、他の構成要素および組立て構成を使用してよい。
【００２９】
パネル取付け部94は、ハウジング12(4)の一部を形成し、通路28(1)〜28(2)の一部を含んでいる。ただし、パネル取付け部94は、他の数および種類の通路およびチャンバを含んでよい。パネル取付け部94は、絶縁材料で作られており、EMI遮蔽プレート88およびEMI密封ガスケット90をパネル取付け部94とカバー98との間に固定するシャシ62に取り付けられている。
【００３０】
スピンドル24(1)の一方の端部をパネル取付け部94の通路28(1)内に固定するのにナット84(1)および座金86(1)が用いられている。スピンドル24(2)の一方の端部をパネル取付け部94の通路28(2)内に固定するのにナット84(2)および座金86(2)が用いられている。6方向スナップ・イン・キー82がパネル取付け部94の通路28(1)〜28(2)間に固定されている。ただし、他の種類のキーを用いても、キーを省略してもよい。スナップ・キー82は、一致しない電圧または電流による、フィルタリングされる電力コネクタ10(6)への他のコネクタの接続を防止するのを助けるのに用いられる。
【００３１】
カバー98は、スピンドル24(1)〜24(2)の他方の端部用の通路28(1)〜28(2)の別の部分を含み、やはりEMIがスケット90に固定されかつEMIガスケット90を圧縮している。カバー98は、絶縁材料で作られ、シャシ62に接触せずにシャシ62を通過している。ただし、他の配置を使用してよい。カバー98をEMIガスケット90に固定すると、フランジ96(1)〜96(2)がフィルタ26(1)〜26(2)の他方の導電領域に接触し、スピンドル24(1)〜24(2)の他方の端部を通過させる。スピンドル24(1)の他方の端部をカバー98に固定するのにナット102(1)および座金100(1)が用いられ、スピンドル24(2)の他方の端部をカバー98に固定するのにナット102(2)および座金100(2)が用いられている。ただし、各構成要素を固定する他の構成を使用してよい。
【００３２】
絶縁体カバー104がカバー28の端部に固定されている。絶縁体カバー104は、スピンドル24(1)〜24(2)の他方の端部が突き出て電源に結合される開口部を形成している。
【００３３】
図18および19を参照すると、本発明の他の態様によるフィルタリングされる電力コネクタ10(6)に接続される電力コネクタ17が示されている。電力コネクタ17用のハウジング19は、ソケット接点114(1)〜114(2)を収納してスピンドル24(1)〜24(2)の他方の端部と噛み合う雌接続通路97(1)〜97(2)を有している。ただし、雄コネクタや雄雌同体コネクタのような、他の数および種類の通路およびコネクタを使用してよい。
【００３４】
電力コネクタ17は、ハウジング19内の通路97(1)〜97(2)間に固定された6方向スナップ・イン・キー82を有している。ただし、他の種類のキーを用いても、キーを省略してもよい。スナップ・キー82は、一致しない電圧または電流による電力コネクタ17への他のコネクタの接続を防止するのを助けるのに用いられる。
【００３５】
電力コネクタ17は、ラッチ・コネクタ・ハウジング11の長穴に嵌まり込み、通路97(1)〜97(2)に挿入されるかまたは通路97(1)〜97(2)と噛み合っているソケット接点114(1)〜114(2)に係合しかつソケット接点114(1)〜114(2)を保持するソケット・コンタクト・キーパー110も有している。ただし、他の種類の保持機構を使用してよい。
【００３６】
各電力ケーブル70(1)〜70(2)の一方の端部はソケット接点114(1)〜114(2)の一方の端部に挿入され押し合わされており、ソケット接点114(1)〜114(2)の他方の端部はスピンドル24(1)〜24(2)の他方の端部と噛み合うような形状を有している。ただし、この場合も、雄コネクタや雄雌同体コネクタのような他の種類のコネクタをソケット接点114(1)〜114(2)に用いることができる。クランプ112(1)〜112(2)は、電力ケーブル70(1)〜70(2)およびハウジング19の一部用のケーブル絶縁部の周りに固定され、ソケット接点114(1)〜114(2)を所定の位置に保持するのを助けている。
【００３７】
次に、本発明の態様によるフィルタリングされる電力コネクタ10(1)を製造する方法について、図1〜6を参照して説明する。フィルタ26(1)の一方の導電領域46が、スピンドル14(1)のフランジ42(1)に接触して位置しかつ結合されるまで、フィルタ26(1)をスピンドル14(1)上を滑らせる。フィルタ26(2)の一方の導電領域46が、スピンドル14(2)のフランジ42(2)に接触して位置しかつ結合されるまで、フィルタ26(2)をスピンドル14(2)上を滑らせる。フィルタ26(1)を含むスピンドル14(1)をハウジング12(1)の通路28(1)内に位置させ、フィルタ26(2)を含むスピンドル14(2)をハウジング12(1)の通路28(2)内に位置させる。
【００３８】
導電カバー52は、スピンドル14(1)〜14(2)の他方の端部を通過させる通路を有し、パネル取付けハウジング29上に位置しかつパネル取付けハウジング29に固定されている。カバー54も、スピンドル14(1)〜14(2)の他方の端部を通過させる通路を有し、カバー52の端部に固定されている。フィルタ電力コネクタ10(1)をシャシ62の開口部64内に位置させ、カバー52およびパネル取付けハウジング29をシャシ62に固定する。スピンドル14(1)〜14(2)の他方の端部をバス・バー58(1)〜58(2)に結合されたソケット・コネクタ60(1)〜60(2)に挿入しかつ結合する。
【００３９】
センサ32をハウジング12(1)内のチャンバ30に挿入し固定することができ、センサ32を監視システム34に結合する。様々な異なる有線および無線通信システムおよびプロトコルを用いてセンサ32を監視システム34に結合することができる。監視システム34を電源36に結合し、監視システム34を用いて、センサ32からの読取り値に応答して電源36の動作を管理することができる。導電ハウジング74または他の導電要素を用いて電力線70(1)〜70(2)用のケーブル・グランド72およびフィルタ26(1)〜26(2)の他方の導電領域46用のグランドをシャシ62に結合し、この態様および他の態様において図15A〜15Bに示されているように共通グランドを形成することができる。
【００４０】
次に、本発明の態様によるフィルタリングされる電力コネクタ10(2)を製造する方法について、図7〜11を参照して説明する。フィルタリングされる電力コネクタ10(1)を製造する方法は、ここに記載されることを除いてフィルタ電力コネクタ10(1)を製造する方法と同一である。フィルタ26(1)の一方の導電領域46が、スピンドル16(1)のフランジ42(1)に接触して位置しかつ結合されるまで、フィルタ26(1)をスピンドル16(1)上を滑らせる。フィルタ26(2)の一方の導電領域46が、スピンドル16(2)のフランジ42(2)に接触して位置しかつ結合されるまで、フィルタ26(2)をスピンドル16(2)上を滑らせる。フィルタ26(1)の一方の導電領域46が、導電座金66(1)に接触して位置しかつ結合されるまで、導電座金66(2)を滑らせる。フィルタ26(2)の一方の導電領域46が、導電座金66(2)に接触して位置しかつ結合されるまで、導電座金66(2)を滑らせる。
【００４１】
フィルタ26(1)および導電座金66(1)を含むスピンドル16(1)をハウジング12(2)の通路28(1)内に位置させ、フィルタ26(2)および導電座金66(1)を含むスピンドル15(2)をハウジング12(2)の通路28(2)内に位置させる。スピンドル16(1)〜16(2)、フィルタ26(1)〜26(2)、および導電座金66(1)〜66(2)が通路28(1)〜28(2)内に位置すると、導電環状突起57(1)〜57(2)が導電座金66(1)〜66(2)およびフィルタ26(1)〜26(2)の他方の導電領域46に係合しかつ結合される。
【００４２】
図10に示されているように、スピンドル16(1)〜16(2)およびフィルタ26(1)〜26(2)用の通路を有する絶縁されたハウジング53を導電パネル・ハウジング55内に位置させ、フィルタ26(1)〜26(2)を導電パネル・ハウジング55から絶縁しかつ遮蔽する。スピンドル16(1)〜16(2)の他方の端部は、絶縁されたハウジング53の開口部を通って延び、バス・バー58(1)〜58(2)に結合されたソケット60(1)〜60(2)に挿入され結合される。
【００４３】
次に、本発明の態様によるフィルタリングされる電力コネクタ10(3)〜10(5)を製造する方法について、図12〜14を参照して説明する。フィルタリングされる電力コネクタ10(3)〜10(5)を製造する方法は、スピンドル18(1)〜18(2)、20(1)〜20(2)、および22(1)〜22(2)の種類が異なり、これらのスピンドルが、スピンドル18(1)〜18(2)、20(1)〜20(2)、および22(1)〜22(2)の端部の所で、コネクタの種類、たとえば、雄、雌、雄雌同体に基づいて異なるようにバス・バー58(1)〜58(2)または他の電力線に結合されることを除いて、フィルタ電力コネクタ10(2)を製造する方法と同一である。
【００４４】
次に、本発明の態様によるフィルタリングされる電力コネクタ10(6)を製造する方法について、図16〜17を参照して説明する。フィルタリングされる電力コネクタ10(6)を製造する方法は、ここに記載されることを除いてフィルタ電力コネクタ10(2)を製造する方法と同一である。
【００４５】
接点座金42(1)〜42(2)を一方のスピンドル24(1)〜24(2)上をフランジ96(1)〜96(2)まで滑らせる。各フィルタ26(1)〜26(2)の一方の導電領域46が、接点座金43(1)〜43(2)に接触して位置しかつ結合されるまで、フィルタ26(1)〜26(2)をそれぞれ一方のスピンドル24(1)〜24(2)上を滑らせる。EMIガスケット90をスピンドル24(1)〜24(2)上に滑らせ、一時的に所定の位置にゆったりと位置させる。遮蔽プレート88をEMIガスケット90に隣接するスピンドル24(1)〜24(2)上に滑らせる。パネル取付けハウジング94の通路28(1)〜28(2)をスピンドル24(1)〜24(2)の一方の端部上を滑らせる。
【００４６】
ナット84(1)〜84(2)および座金86(1)〜86(2)を通路28(1)〜28(2)内のスピンドル24(1)〜24(2)の一方の端部上に締め付け、接点座金43(1)〜43(2)およびフィルタ26(1)〜26(2)をフランジ96(1)〜96(2)と遮蔽プレート88との間に捕捉し圧縮する。絶縁カバー98をスピンドル24(1)〜24(2)および座金100(1)〜100(2)の他方の端部上に滑らせ、ナット102(1)〜102(2)をスピンドル24(1)〜24(2)の他方の端部上に締め付け、カバー98およびガスケット90を、すでに組み立てられている構成要素に取り付ける。これによって、ガスケット90が遮蔽プレート88に押し付けられ、液体シールが形成される。カバー98内の内部空間に埋込用樹脂を充填する。絶縁体カバー104をカバー98の後部に嵌め込む（見た目をよくするため）。六角キー82を所望の向きに差し込む。
【００４７】
完成したフィルタリングされる電力コネクタ10(6)をシャシ62に設置する準備が整う。パネル取付け部94をねじで留めることによって、フィルタリングされる電力コネクタ10(6)を固定すると共に、ガスケット90をシャシ62に接触させて支持し、接地回路を完成する。絶縁カバー98は、シャシ62の切欠きからすきまを空けた状態で突き出て機器の内部に入り込む。
【００４８】
次に、本発明の態様による電力コネクタ17を製造する方法について、図18〜19を参照して説明する。ソケット接点114(1)〜114(2)を電力ケーブル70(1)〜70(2)の端部に押し合わせ、次いでハウジング19内の通路97(1)〜97(2)に挿入する。ソケット・コンタクト・キーパー110をハウジング19の長穴に挿入し、ソケット接点114(1)〜114(2)を所定の位置に固定する。ただし、他の種類の保持装置を使用してよい。クランプ112(1)〜112(2)をソケット接点114(1)〜114(2)およびハウジング19の一部の周りに固定する。クランプ112(1)〜112(2)はソケット接点114(1)〜114(2)を所定の位置に保持する助けになる。次いで、六角キー82を通路97(1)〜97(2)間の別の通路内の所定の位置に挿入しロックする。完成した電力コネクタ17をフィルタリングされる電力コネクタ10(6)に挿入する準備が整う。ただし、電力コネクタ17は、他のフィルタリングされる電力コネクタと噛み合うように他の方法で構成してよい。
【００４９】
ここでは、フィルタリングされる電力コネクタ10(1)〜10(6)および電力コネクタ17を製造する方法について説明しているが、フィルタリングされる電力コネクタ10(1)〜10(6)および電力コネクタ17を製造する他の方法を使用してよい。
【００５０】
次に、監視システム34および電源36に結合された本発明の態様によるフィルタリングされる電力コネクタ10(1)の動作について図1〜6を参照して説明する。電源からの電力は、バス・バー58(1)〜58(2)、またはスピンドル14(1)〜14(2)に結合された他の電力信号線からスピンドル14(1)〜14(2)の一方の端部に与えられる。電力は、スピンドル14(1)〜14(2)を通って、スピンドル14(1)〜14(2)の他方の端部に結合された他の導体に至る。
【００５１】
フィルタ26(1)〜26(2)は、電力がスピンドル14(1)〜14(2)を通過する際に電力をフィルタリングする。この特定の態様では、フィルタ26(1)〜26(2)は、約0kHzから約40Ghzの間の、導体上の任意の信号の実質的な部分を排除する。ただし、フィルタ26(1)〜26(2)は、電力信号における雑音やスパイクを排除するような、他の方法で電力をフィルタリングするように構成してよい。フィルタ26(1)〜26(2)の一方の端部における導電領域46を一方のフランジ42(1)〜42(2)に結合し、フィルタ26(1)〜26(2)の他方の端部における導電領域を、グランドとして働くシャシ62に結合されたハウジング29に結合された導電カバー52に結合する。その結果、スピンドル14(1)〜14(2)上の任意の信号の実質的な部分がフィルタ26(1)〜26(2)によって捕捉され、グランドに散逸し、すなわちカバー52およびハウジング29を通してシャシ62に散逸する。その結果、本発明は雑音のない高品質の電力信号を生成することができる。
【００５２】
センサ32は、各スピンドル14(1)〜14(2)における温度や電流読取り値のような、電力の供給に関する1つまたは複数の特性も監視する。監視システム34は、センサ32からの読取り値に基づいて、電源36の動作を制御する。単なる一例として、センサ32が記憶されているしきい値を超えた温度を読み取った場合、監視システム34は、電源を停止することを求める信号を発することができる。センサ32は、高すぎるかまたは低すぎる電流レベルを読み取ることもでき、監視システム34は、この読取り値に応じて電源36の動作を制御し、電流レベルを適切な量まで増減させる。
【００５３】
次に、本発明の態様によるフィルタリングされる電力コネクタ10(2)の動作について、図1〜6を参照して説明する。フィルタリングされる電力コネクタ10(2)の動作は、ここに記載されることを除いて、センサ32および監視システム34を有するフィルタ電力コネクタ10(1)の動作と同じである。
【００５４】
電源からの電力は、バス・バー58(1)〜58(2)またはスピンドル16(1)〜16(2)に結合された他の電力信号線からスピンドル16(1)〜16(2)に供給される。電力は、スピンドル16(1)〜16(2)を通って、スピンドル16(1)〜16(2)の他方の端部に結合された他の導体に至る。
【００５５】
フィルタ26(1)〜26(2)は、電力信号がスピンドル16(1)〜16(2)を通過する際に電力信号をフィルタリングする。この特定の態様では、フィルタ26(1)〜26(2)は、約0kHzから約40Ghzの間の、スピンドル16(1)〜16(2)上の任意の信号の実質的な部分を排除する。ただし、フィルタ26(1)〜26(2)は、電力信号における雑音やスパイクを排除するような、他の方法で電力をフィルタリングするように構成してよい。フィルタ26(1)〜26(2)の一方の端部における導電領域46は、一方のフランジ42(1)〜42(2)に結合され、フィルタ26(1)〜26(2)の他方の端部における導電領域は、グランドとして働くハウジング55に結合された導電環状突起57(1)〜57(2)に結合された導電座金66(1)〜66(2)に結合される。その結果、スピンドル16(1)〜16(2)上の任意の信号の実質的な部分がフィルタ26(1)〜26(2)によって捕捉され、グランドに散逸し、すなわち導電座金66(1)〜66(2)および導電環状突起57(1)〜57(2)を通してハウジング55に散逸する。その結果、本発明は雑音のない高品質の電力信号を生成することができる。図示していないが、フィルタ電力コネクタ10(2)は、上記に図1〜6を参照して説明したように動作するセンサ32および監視システム34を有してよい。
【００５６】
本発明の態様によるフィルタリングされる電力コネクタ10(3)〜10(5)および10(7)の動作は、異なるスピンドルおよびハウジングが使用されることを除いて、フィルタ電力コネクタ10(2)の動作と同じである。
【００５７】
本発明の態様によるフィルタ電力コネクタ10(6)の動作は、ここに記載されることを除いてフィルタ電力コネクタ10(1)の動作と同じである。電力コネクタ17は、電源からの電力が電力ケーブル70(1)〜70(2)からスピンドル24(1)〜24(2)の一方の端部に供給されるように、フィルタリングされる電力コネクタ10(6)の一方の端部に接続される。ただし、電力を供給する他の方法を使用してよい。
【００５８】
フィルタ26(1)〜26(2)は、電力がスピンドル24(1)〜24(2)を通過する際に電力をフィルタリングする。この特定の態様では、フィルタ26(1)〜26(2)は、約0kHzから約40Ghzの間の、スピンドル24(1)〜24(2)上の任意の信号の実質的な部分を排除する。ただし、フィルタ26(1)〜26(2)は、他の方法で電力をフィルタリングするように構成してよい。フィルタ26(1)〜26(2)の一方の端部における導電領域46は、一方のフランジ43(1)〜43(2)に結合され、フィルタ26(1)〜26(2)の他方の端部における導電領域は、グランドとして働くシャシ62に結合されたハウジング94に結合されたEMI遮蔽プレート88に結合されたEMI密封ガスケット90に結合される。その結果、スピンドル24(1)〜24(2)上の任意の信号の実質的な部分がフィルタ26(1)〜26(2)によって捕捉され、グランドに散逸し、すなわちEMI密封ガスケット90、EMI遮蔽プレート88、パネル・ハウジング94を通してシャシ62に散逸する。その結果、本発明は雑音のない高品質の電力信号を生成することができる。図示していないが、フィルタ電力コネクタ10(6)は、上記に図1〜6を参照して説明したように動作するセンサ32および監視システム34を有してよい。電力は、スピンドル24(1)〜24(2)を通りスピンドル24(1)〜24(2)の他方の端に結合された他の導電の外へ抜ける。
【００５９】
したがって、本発明の基本概念について説明したが、当業者には、前述の詳細な開示が一例としてのみ与えられるものであり、制限的なものではないことが明らかであろう。本明細書では明示的に述べられていないが、当業者には、様々な代替態様、改良態様、および修正態様が考慮され、またこのような態様は当業者を対象とするものである。このような代替態様、改良態様、および修正態様は、本明細書によって示唆されるものであり、本発明の趣旨および範囲内である。さらに、処理要素またはシーケンスの記載された順序、あるいはそれに関する数、文字、または他の符号の使用は、特許請求の範囲に指定されることを除いて、請求されたプロセスを任意の順序に制限するものではない。したがって、本発明は特許請求の範囲およびその均等物によってのみ制限される。
【図面の簡単な説明】
【００６０】
【図１Ａ】一対のバス・バーに結合された本発明の態様によるフィルタリングされる電力コネクタの斜視図である。
【図１Ｂ】バス・バーから切り離された図1Aに示されているフィルタリングされる電力コネクタの斜視図である。
【図２】フィルタリングされる電力コネクタの、一方のバス・バーに接続される部分の断面斜視図である。
【図３】バス・バーに接続されたフィルタリングされる電力コネクタの他の断面図である。
【図４】フィルタリングされる電力コネクタの斜視端面図である。
【図５】フィルタリングされる電力コネクタの分解斜視図である。
【図６】バス・バーに結合されたフィルタリングされる電力コネクタの一部分解斜視図である。
【図７】本発明の他の態様によるフィルタリングされる電力コネクタの1つの端部の斜視図である。
【図８】図7に示されているフィルタリングされる電力コネクタの別の端部の斜視図である。
【図９】一対のバス・バーに結合されたフィルタリングされる電力コネクタの1つの端部の斜視図である。
【図１０】図9に示されているバス・バーに結合されたフィルタリングされる電力コネクタの一部分解斜視図である。
【図１１】図10に示されているフィルタリングされる電力コネクタおよびバス・バーの分解斜視図である。
【図１２】本発明の他の態様による雌合わせ側コネクタおよび雄電源側コネクタを有するフィルタリングされる電力コネクタの1つの端部の斜視図である。
【図１３】本発明の他の態様による雌合わせ側コネクタおよび雄電源側コネクタを有するフィルタリングされる電力コネクタの1つの端部の斜視図である。
【図１４】本発明の他の態様による雌合わせ側コネクタおよび雌電源側コネクタを有するフィルタリングされる電力コネクタの1つの端部の斜視図である。
【図１５Ａ】本発明の他の態様による接地面から切り離された共通のグランドを有するフィルタリングされる電力コネクタの1つの端部の斜視図である。
【図１５Ｂ】遮蔽された電力導体を接続するのに用いることのできる、本発明の他の態様による接地面に結合された共通のグランドを有するフィルタリングされる電力コネクタの1つの端部の斜視図である。
【図１６】本発明の他の態様による雄合わせ側コネクタおよび雄電源側コネクタを有するフィルタリングされる電力コネクタの1つの端部の斜視図である。
【図１７】図16に示されているフィルタ電力コネクタの分解図である。
【図１８】本発明の他の態様による図16〜17に示されているフィルタリングされる電力コネクタに結合される、雌合わせ側コネクタおよび雌電源側コネクタを有するフィルタリングされる電力コネクタの1つの端部の斜視図である。
【図１９】図18に示されている電力コネクタの分解図である。
【図１Ａ】
2005529472.tif 000003
【図１Ｂ】
2005529472.tif 000004
【図２】
2005529472.tif 000005
【図３】
2005529472.tif 000006
【図４】
2005529472.tif 000007
【図５】
2005529472.tif 000008
【図６】
2005529472.tif 000009
【図７】
2005529472.tif 000010
【図８】
2005529472.tif 000011
【図９】
2005529472.tif 000012
【図１０】
2005529472.tif 000013
【図１１】
2005529472.tif 000014
【図１２】
2005529472.tif 000015
【図１３】
2005529472.tif 000016
【図１４】
2005529472.tif 000017
【図１５Ａ】
2005529472.tif 000018
【図１５Ｂ】
2005529472.tif 000019
【図１６】
2005529472.tif 000020
【図１７】
2005529472.tif 000021
【図１８】
2005529472.tif 000022
【図１９】
2005529472.tif 000023
【国際調査報告】
2005529472.tif 000024